(57)【要約】【課題】使用者は自らの需要または外部生殖器が耐えられる範囲にて調節でき、外部生殖器の怪我を防止でき、使用が便利で、補助器具を新たに使用する必要のない誘導増長装置を提供する。【解決手段】位置決め管を有し、位置決め管の表面に挿入孔を設け、位置決め管の内部にて往復運動自在の調節管を設ける。調節管の表面に複数の引き止め部を並列に凸設し、位置決めピンの一端を挿入孔よりくぐらして引き止め部と係止固定を形成する。使用者は位置決め管を調節し、調節管の引き延ばしピッチを調節することによって、外部生殖器の引き延ばし長さを調節する。【選択図】図２
0003163132.tif 000002
【実用新案登録請求の範囲】
【請求項１】
位置決め管と、調節管と、位置決めピンとを備えた男性外部生殖器の発育不全を治療するための誘導増長装置であって、
前記位置決め管は中空状の管体であり、前記位置決め管の一辺に位置固定部を設け、前記位置固定部の表面に挿入孔を設け、
前記調節管は中空状の管体であり、前記調節管は前記位置決め管内部にて往復運動自在に前記位置決め管の内部に穿設し、前記調節管の一辺に位置固定部と組み合わせて前記調節管の回動防止するための当接部を設け、前記当接部の表面に複数の引き止め部を並列に設け、
前記位置決めピンは前記位置決め管の挿入孔に穿設され、前記位置決めピンの一端は引き止め部と係止固定を形成する固定部を設けたことを特徴とする誘導増長装置。
【請求項２】
前記調節管は前記当接部遠端の表面に複数の通り孔を並列して設け、前記通り孔に外部生殖器を固定する固定具を設け、前記引き止め部の一辺は第１誘導傾斜面を斜めに設け、他端は第１引き止め面を縦方向に設け、前記固定部の一辺は第２誘導傾斜面を斜めに設け、他の辺は第２引き止め面を縦方向に設けることを特徴とする請求項１記載の誘導増長装置。
【請求項３】
前記挿入孔は一つ以上に並列して設け、引き止め部は交差して並列に設けることを特徴とする請求項１記載の誘導増長装置。
【考案の詳細な説明】
【技術分野】
【０００１】
本考案は誘導増長装置に関し、特に一種の男性外部生殖器の発育不全を治療する誘導増長装置に関する。
【背景技術】
【０００２】
外部生殖器は男性のもっとも重要な生殖器官である。外部生殖器の発育不全または短すぎると、男性の生理機能に障害を引き起こす。よって、業者から一種の真空吸引方式を開発し男性外部生殖器の発育不全の治療を図る。主に外部生殖器を収容する管体を有し、真空装置により管体内部の空気を吸い込み、真空の吸引力でもって外部生殖器の増長を図る。
【考案の概要】
【考案が解決しようとする課題】
【０００３】
しかし、吸引方式では外部生殖器の海綿体を短時間に大量な血液が充満するため、使用者の不注意により外部生殖器に怪我の恐れがある。さらに、使用するときに真空装置による空気吸い込みが必要である。一方真空装置は携帯不便であるうえ、１０から１５分ごと使用された後に暫く中止必要があり、使用者にとって不便である。
【課題を解決するための手段】
【０００４】
本考案の主な目的は、使用者は位置決め管と調節管を利用し自らが外部生殖器の引き延ばし長さを調節可能にし、外部生殖器が意外な怪我を防止でき、使用が便利、かつ、補助器具を新たに使用する必要がない。
【０００５】
本考案の次の目的は、位置決め管と調節管とを様々なピッチの固定距離を形成し、使用者の様々な引き延ばし長さに対応できる。
【０００６】
前記目的を達成するため、本考案の誘導増長装置は位置決め管を有し、位置決め管の表面に挿入孔を設け、位置決め管の内部にて往復運動自在の調節管が穿設され、調節管の表面に複数の引き止め部を並列に凸設し、位置決めピンの一端を挿入孔より挿入し引き止め部と係止固定を形成する。
【図面の簡単な説明】
【０００７】
【図１】本発明の好ましい実施例の立体外観図である。
【図２】本考案の好ましい実施例の立体分解図である。
【図３】本発明図２Ａの局所拡大図である。
【図４】本考案の位置決めピンの立体拡大図である。
【図５】本考案による位置決めピンの側面図である。
【図６】本考案による位置決めピンの正面図である。
【図７】本考案の好ましい実施例を使用されるときの側視断面態様図である。
【図８】本発明の好ましい実施例による局所の側視断面の動作態様図その１である。
【図９】本発明の好ましい実施例による局所の側視断面の動作態様図その２である。
【図１０】本発明の好ましい実施例による局所の側視断面の動作態様図その３である。
【図１１】本考案もう一つの好ましい実施例の立体分解図である。
【考案を実施するための形態】
【０００８】
以下、添付図面を参照して本考案の実施の形態を詳細に説明する。
【実施例】
【０００９】
図１ないし図６および図８を参照する。図から明かのように、本考案は位置決め管１と、調節管２と、位置決めピン３とを備える。
そのうち、位置決め管１は中空状の管体であり、位置決め管１の一辺に位置固定部１１を設け、位置固定部１１の表面に挿入孔１２が設置され、位置決め管１の一辺に係止部１３を設け、挿入孔１２は一つ以上に交差し並列に配置されている。
【００１０】
調節管２は中空状の管体であり、調節管２の一辺の上周辺にノッチ２５を設け、調節管２の一辺の表面に当接部２１を設け、当接部２１の表面に複数の引き止め部２２を並列に凸設し、当接部２１の遠端表面に複数の通り孔２３を並列に設け、通り孔２３に固定具２４を内設し、各当接部２１の一辺は第１誘導傾斜面２２１を斜めに設け、他の辺は第１引き止め面２２２を縦方向に設ける。
【００１１】
位置決めピン３は位置決め管１の挿入孔１２に穿設され、位置決めピン３の一端に位置決め部３１を設け、位置決め部３１の一辺に第２誘導傾斜面３１１を斜めに設け、他の辺は第２引き止め面３１２を縦方向に設ける。
【００１２】
図２ないし７および図１０を参照する。本考案は使用するとき、調節管２を位置決め管１に穿設して置き、調節管２の当接部２１の形状は位置固定部１１に合わせており、調節管２は位置決め管１内部にて往復運動自在可能のほか、調節管２が位置決め管１内部での回動を抑止できる。引き続き、外部生殖器４を調節管２にくぐらして、位置決め管１の係止部１３を外部生殖器４根元部の周りに係止させ、固定具２４を挿入孔２３にくぐらして、外部生殖器４の根元部の遠端に固定する。調節管２の一辺にノッチ２５を有するため、固定具２４はノッチ２５から調節管２に進入し、固定具２４を外部生殖器４に囲み、通り孔２３を通して、固定具２４と通り孔２３の内面を緊密に合わせて外部生殖器４を固定する。引き続き、位置決めピン３の各固定部３１をそれぞれの調節管２より、外部生殖器４根元部の方向を引っ張る。調節管２を引っ張ることによって、外部生殖器４も追随して引き延ばされる。図８ないし１０に示すように、調節管２を引っ張るときに、固定部３１一辺の第２誘導傾斜面３１１は引き止め部２２の第１誘導傾斜面２２１の誘導に従って、位置決めピン３を上方に引き起こされる。使用者によって、外部生殖器４を適切な距離に引き延ばされた後、位置決めピン３の固定部３１は２つの当接部２１の間に落ち込み、外部生殖器４を引き延ばすと、必ず反対方向の牽引力を発生される。この牽引力によって調節管２は反対方向に移動される。一方、当接部２１の第１引き止め面２２２と固定部３１の第２引き止め面３１２は縦方向に設けられているため、第１引き止め面２２２と第２引き止め面３１２とが係止固定を形成し、調節管２は反対方向に移動することができない。よって、外部生殖器４は引き延ばした状態が保持される。これにより、外部生殖器４の発育不全を治療される。しかし、挿入孔１２は一つ以上を交差して並列に設置されており、調節管２の運動過程において、一つのみの位置決めピン３の固定部３１が当接部２１と固定を形成される。かつ、各位置決めピン３は引き止め部２２と異なる距離を形成して、外部生殖器４を適切な位置に引き延ばして固定させ、使用者による様々な引き延ばし長さに対応できる。なお、前述固定具２４はたとえば、縄である。
【００１３】
図１１を参照する。図から明かのように、引き止め部２２は交差して並列に設置され、挿入孔１２は一つ以上を並列に設置されている。よって、引き止め部２２を交差して配列することによって、調節管２に様々なピッチの固定距離を形成することができる。
【００１４】
このように、本考案は公知技術の不足と欠点を解決し効果を増強できる主な技術要点は、位置決め管１と調節管２を利用し、利用者は自らが外部生殖器４の引き延ばし長さを調節できる。使用者は自らの需要または外部生殖器４が耐えられる範囲にて調節でき、外部生殖器４の怪我は避けられる。さらに、使用が便利で、新たに補助器具の使用は不要である。一方、挿入孔１２と引き止め部２２は交差して並列して配置され、位置決め管１と調節管２は位置決めピン３において、様々なピッチの固定距離を設定でき、使用者の各種引き延ばしピッチの要求に応えられる。
【符号の説明】
【００１５】
１       位置決め管
１１     位置固定部
１２     挿入孔
１３     係止部
２       調節管
２１     当接部
２２１   第１誘導傾斜面
２２２   第１引き止め面
２２     引き止め部
２３     通り孔
２４     固定具
２５     ノッチ
３       位置決めピン
３１２   第２引き止め面
【図１】
0003163132.tif 000003
【図２】
0003163132.tif 000004
【図３】
0003163132.tif 000005
【図４】
0003163132.tif 000006
【図５】
0003163132.tif 000007
【図６】
0003163132.tif 000008
【図７】
0003163132.tif 000009
【図８】
0003163132.tif 000010
【図９】
0003163132.tif 000011
【図１０】
0003163132.tif 000012
【図１１】
0003163132.tif 000013